(57)【要約】【課題】使用者の状態に応じて、使用者が存在する空間の空調を適切に制御することができる空調制御装置を提供する。【解決手段】空調制御装置１００は、使用者１の画像を取得する画像取得部１０と、当該画像に基づいて、使用者１が睡眠状態であるか否か、及び、使用者１の口が露出されているか否かを判定する判定部２０と、判定部２０の判定結果に基づいて、使用者１が存在する空間の空調を制御する制御部３０と、を備える。【選択図】図１２
2020118361.tif 000002
【特許請求の範囲】
【請求項１】
使用者の画像を取得する画像取得部と、
前記画像に基づいて、前記使用者が睡眠状態であるか否か、及び、前記使用者の口が露出されているか否かを判定する判定部と、
前記判定部の判定結果に基づいて、前記使用者が存在する空間の空調を制御する制御部と、
を備える、
空調制御装置。
【請求項２】
前記制御部は、前記判定部により前記使用者が睡眠状態であり、かつ、前記使用者の口が露出されていると判定された場合、加湿器を制御して前記使用者が存在する空間を加湿する、
請求項１に記載の空調制御装置。
【請求項３】
前記制御部は、前記判定部により前記使用者が睡眠状態でないと判定された場合、又は、前記使用者の口が露出されていないと判定された場合、前記加湿器を制御して前記使用者が存在する空間の加湿を禁止する、
請求項２に記載の空調制御装置。
【請求項４】
前記判定部は、さらに、前記使用者が口呼吸をしているか否かを判定し、
前記制御部は、前記判定部により前記使用者が睡眠状態であり、かつ、前記使用者の口が露出されており、かつ、前記使用者が口呼吸をしていると判定された場合、前記加湿器を制御して前記使用者が存在する空間を加湿する、
請求項２又は３に記載の空調制御装置。
【請求項５】
前記画像取得部は、前記使用者の画像として、前記使用者の熱画像を取得し、
前記判定部は、前記熱画像に基づいて、前記使用者が口呼吸をしているか否かを判定する、
請求項４に記載の空調制御装置。
【請求項６】
さらに、前記使用者の音声を示す音声情報を取得する音声取得部を備え、
前記判定部は、さらに、前記音声取得部が取得した前記音声情報に基づき、前記使用者が口呼吸をしているか否かを判定する、
請求項４に記載の空調制御装置。
【請求項７】
前記加湿器は、湿潤空気を送風する方向を調整可能であり、
さらに、前記使用者の口の位置を検出する検出部を備え、
前記制御部は、前記判定部により前記使用者が睡眠状態であり、かつ、前記使用者の口が露出されていると判定された場合、前記加湿器に前記使用者の口の位置に向けて湿潤空気を送風させる、
請求項２〜６のいずれか一項に記載の空調制御装置。
【請求項８】
前記判定部は、前記使用者の口がマスクで覆われているか否かを判定することにより、前記使用者の口が露出されているか否かを判定する、
請求項１〜７のいずれか一項に記載の空調制御装置。
【請求項９】
さらに、前記使用者が存在する空間における湿度、風速及び風向のうち少なくとも１つの環境情報を取得する環境情報取得部を備え、
前記制御部は、前記判定部の判定結果及び前記少なくとも１つの環境情報に基づき、湿度、湿潤空気の送風方向、前記湿潤空気の送風量、及び、前記湿潤空気中の液滴径の少なくとも１つを制御する、
請求項１に記載の空調制御装置。
【請求項１０】
請求項１〜９のいずれか一項に記載の空調制御装置を備える、
加湿器。
【請求項１１】
使用者の画像を取得する画像取得ステップと、
前記画像に基づいて、前記使用者が睡眠状態であるか否か、及び、前記使用者の口が露出されているか否かを判定する判定ステップと、
前記判定部の判定結果に基づいて、前記使用者が存在する空間の空調を制御する制御ステップと、
を含む、
空調制御方法。
【発明の詳細な説明】
【技術分野】
【０００１】
本開示は、空調制御装置、加湿器及び空調制御方法に関する。
【背景技術】
【０００２】
例えば、特許文献１は、使用者が睡眠状態である場合、空気調和の対象である空間の湿度が閾値未満であるときに、加湿ユニットに加湿動作を実行させ、空気調和の対象である空間の湿度が閾値以上であるときに、冷暖房ユニットに送風動作を実行させる空気調和システムを開示している。
【先行技術文献】
【特許文献】
【０００３】
【特許文献１】特許第６１８９９０９号公報
【発明の概要】
【発明が解決しようとする課題】
【０００４】
しかしながら、特許文献１に記載の従来技術では、使用者が睡眠状態であるか否か、及び、使用者の口が露出されているか否かなどの使用者の状態に応じて、使用者が存在する空間の空調を適切に制御することができるとは言い難い。
【０００５】
そこで、本開示は、使用者の状態に応じて、使用者が存在する空間の空調を適切に制御することができる空調制御装置、加湿器及び空調制御方法を提供する。
【課題を解決するための手段】
【０００６】
本開示の一態様に係る空調制御装置は、使用者の画像を取得する画像取得部と、前記画像に基づいて、前記使用者が睡眠状態であるか否か、及び、前記使用者の口が露出されているか否かを判定する判定部と、前記判定部の判定結果に基づいて、前記使用者が存在する空間の空調を制御する制御部と、を備える。
【０００７】
なお、これらの包括的又は具体的な態様は、システム、方法、集積回路、コンピュータプログラム、又は、コンピュータで読み取り可能なＣＤ−ＲＯＭなどの非一時的な記録媒体で実現されてもよく、システム、方法、集積回路、コンピュータプログラム、及び、記録媒体の任意な組み合わせで実現されてもよい。
【発明の効果】
【０００８】
本開示によれば、使用者の状態に応じて、使用者が存在する空間の空調を適切に制御することができる。
【図面の簡単な説明】
【０００９】
【図１】図１は、実施の形態１における空調制御システムの一例を示す概略図である。
【図２】図２は、実施の形態１における空調制御システムの機能構成の一例を示すブロック図である。
【図３】図３は、使用者の画像の一例を示す図である。
【図４】図４は、使用者の口が露出されているか否かを説明するための図である。
【図５】図５は、使用者の熱画像の一例を説明するための図である。
【図６Ａ】図６Ａは、使用者の熱画像の他の例を説明するための図である。
【図６Ｂ】図６Ｂは、使用者の熱画像の他の例を説明するための図である。
【図７】図７は、実施の形態１に係る空調制御装置の動作の一例を示すフローチャートである。
【図８】図８は、実施の形態１に係る空調制御装置の動作の他の例を示すフローチャートである。
【図９】図９は、実施の形態１に係る空調制御装置の動作の他の例を示すフローチャートである。
【図１０】図１０は、実施の形態２における空調制御システムの一例を示す概略図である。
【図１１】図１１は、実施の形態２における空調制御システムの機能構成の一例を示すブロック図である。
【図１２】図１２は、他の実施の形態に係る空調制御装置の機能構成の一例を示すブロック図である。
【図１３】図１３は、他の実施の形態に係る空調制御装置の動作の一例を示すフローチャート図である。
【発明を実施するための形態】
【００１０】
本開示の一態様の概要は、以下のとおりである。
【００１１】
本開示の一態様に係る空調制御装置は、使用者の画像を取得する画像取得部と、前記画像に基づいて、前記使用者が睡眠状態であるか否か、及び、前記使用者の口が露出されているか否かを判定する判定部と、前記判定部の判定結果に基づいて、前記使用者が存在する空間の空調を制御する制御部と、を備える。
【００１２】
これにより、使用者が睡眠状態であるか否か、及び、使用者の口が露出されているか否かなどの使用者の状態に応じて、使用者が存在する空間の空調を適切に制御することができる。
【００１３】
例えば、本開示の一態様に係る空調制御装置は、前記制御部は、前記判定部により前記使用者が睡眠状態であり、かつ、前記使用者の口が露出されていると判定された場合、加湿器を制御して前記使用者が存在する空間を加湿してもよい。
【００１４】
これにより、使用者が睡眠状態であり、かつ、使用者の口が露出されている場合に、使用者が乾燥した空気の影響を受けにくくすることができる。
【００１５】
例えば、本開示の一態様に係る空調制御装置は、前記制御部は、前記判定部により前記使用者が睡眠状態でないと判定された場合、又は、前記使用者の口が露出されていないと判定された場合、前記加湿器を制御して前記使用者が存在する空間の加湿を禁止してもよい。
【００１６】
これにより、例えば、使用者が自分で加湿器を操作できる場合、又は、使用者が例えばマスクなどを着用して喉を保護する手段を講じている場合に、不必要な加湿を低減することができる。
【００１７】
例えば、本開示の一態様に係る空調制御装置は、前記判定部は、さらに、前記使用者が口呼吸をしているか否かを判定し、前記制御部は、前記判定部により前記使用者が睡眠状態であり、かつ、前記使用者の口が露出されており、かつ、前記使用者が口呼吸をしていると判定された場合、前記加湿器を制御して前記使用者が存在する空間を加湿してもよい。
【００１８】
これにより、使用者の口及び喉が乾燥空気に晒されることを低減するため、使用者の喉が乾燥した空気の影響を受けにくくすることができる。
【００１９】
例えば、本開示の一態様に係る空調制御装置は、前記画像取得部は、前記使用者の画像として、前記使用者の熱画像を取得し、前記判定部は、前記熱画像に基づいて、前記使用者が口呼吸をしているか否かを判定してもよい。
【００２０】
これにより、使用者が存在する空間が消灯されて光量が十分でない場合も、使用者の状態に応じて使用者が存在する空間を適切に加湿することができる。そのため、使用者が消灯して就寝している場合でも、使用者の口及び喉が乾燥空気に晒されることを低減するため、使用者の喉が乾燥した空気の影響を受けにくくすることができる。
【００２１】
例えば、本開示の一態様に係る空調制御装置は、さらに、前記使用者の音声を示す音声情報を取得する音声取得部を備え、前記判定部は、さらに、前記音声取得部が取得した前記音声情報に基づき、前記使用者が口呼吸をしているか否かを判定してもよい。
【００２２】
これにより、使用者のいびき、又は、口呼吸による呼吸音などの音声情報に基づいて使用者の口呼吸を検知できる。そのため、例えば、画像に基づいて使用者の口呼吸を検知できない場合でも、使用者が口呼吸をしていることを検知して、使用者が存在する空間を適切に加湿することができる。
【００２３】
例えば、本開示の一態様に係る空調制御装置は、前記加湿器は、湿潤空気を送風する方向を調整可能であり、さらに、前記使用者の口の位置を検出する検出部を備え、前記制御部は、前記判定部により前記使用者が睡眠状態であり、かつ、前記使用者の口が露出されていると判定された場合、前記加湿器に前記使用者の口の位置に向けて湿潤空気を送風させてもよい。
【００２４】
これにより、使用者の口及び喉を直接加湿することができるため、使用者の喉を保湿することができる。そのため、使用者が乾燥の影響をさらに受けにくくすることができる。
【００２５】
例えば、本開示の一態様に係る空調制御装置は、前記判定部は、前記使用者の口がマスクで覆われているか否かを判定することにより、前記使用者の口が露出されているか否かを判定してもよい。
【００２６】
これにより、使用者の口が露出されているか否かの判定を迅速に行うことができる。
【００２７】
例えば、本開示の一態様に係る空調制御装置は、さらに、前記使用者が存在する空間における湿度、風速及び風向のうち少なくとも１つの環境情報を取得する環境情報取得部を備え、前記制御部は、前記判定部の判定結果及び前記少なくとも１つの環境情報に基づき、湿度、湿潤空気の送風方向、前記湿潤空気の送風量、及び、前記湿潤空気中の液滴径の少なくとも１つを制御してもよい。
【００２８】
これにより、使用者が存在する空間の湿度などの環境情報に基づいて、使用者が存在する空間を適切な湿度に維持しやすくなる。そのため、使用者の状態に応じて使用者が存在する空間を適切に加湿する場合に、過剰な加湿を低減することができる。
【００２９】
また、本開示の一態様に係る加湿器は、上記のいずれかの空調制御装置を備える。
【００３０】
これにより、空調制御装置と加湿器との間で通信の負荷を低減することができる。
【００３１】
また、本開示の一態様に係る空調制御方法は、使用者の画像を取得する画像取得ステップと、前記画像に基づいて、前記使用者が睡眠状態であるか否か、及び、前記使用者の口が露出されているか否かを判定する判定ステップと、前記判定部の判定結果に基づいて、前記使用者が存在する空間の空調を制御する制御ステップと、を含む。
【００３２】
これにより、使用者が睡眠状態であるか否か、及び、使用者の口が露出されているか否かなどの使用者の状態に応じて、使用者が存在する空間の空調を適切に制御することができる。
【００３３】
さらに、これらの包括的又は具体的な態様は、システム、装置、方法、集積回路、コンピュータプログラム、又は、コンピュータで読み取り可能なＣＤ−ＲＯＭなどの非一時的な記録媒体で実現されてもよく、システム、装置、方法、集積回路、コンピュータプログラム、及び、記録媒体の任意な組み合わせで実現されてもよい。また、装置は、１つ以上のサブ装置で構成されてもよい。装置が２つ以上のサブ装置で構成される場合、当該２つ以上の装置は、１つの機器内に配置されもよく、分離した２つ以上の機器内に分かれて配置されてもよい。本明細書及び特許請求の範囲では、「装置」とは、１つの装置を意味し得るだけでなく、複数のサブ装置からなるシステムも意味し得る。
【００３４】
以下、実施の形態について図面を参照しながら具体的に説明する。なお、以下で説明する実施の形態は、いずれも包括的又は具体的な例を示すものである。以下の実施の形態で示される数値、形状、材料、構成要素、構成要素の配置位置及び接続形態、ステップ、ステップの順序などは、一例であり、請求の範囲を限定する主旨ではない。また、以下の実施の形態における構成要素のうち、最上位概念を示す独立請求項に記載されていない構成要素については、任意の構成要素として説明される。
【００３５】
また、各図は模式図であり、必ずしも厳密に図示されたものではない。さらに、各図において、実質的に同一の構成要素に対しては同一の符号を付しており、重複する説明は省略又は簡略化される場合がある。
【００３６】
また、以下の説明において、第１、第２、及び、第３等の序数が要素に付けられている場合がある。これらの序数は、要素を識別するため、要素に付けられており、意味のある順序に必ずしも対応しない。これらの序数は、適宜、入れ替えられてもよいし、新たに付与されてもよいし、取り除かれてもよい。
【００３７】
（実施の形態１）
以下、実施の形態１に係る空調制御装置等について説明する。
【００３８】
［１−１．空調制御システムの概要］
まず、実施の形態１における空調制御システムの概要について図１及び図２を参照しながら説明する。図１は、実施の形態１における空調制御システム５００の一例を示す概略図である。図２は、実施の形態１における空調制御システム５００の機能構成の一例を示すブロック図である。
【００３９】
空調制御システム５００は、使用者１の状態に応じて使用者１が存在する空間の空調を制御するためのシステムである。空調制御システム５００によれば、使用者１の状態に応じて空調を制御することができるため、例えば、使用者１が睡眠状態であり、かつ、使用者１の口が露出されている場合に、使用者１の喉が乾燥空気に晒されるのを防ぐことができる。なお、使用者１は、空調制御システム５００に含まれない。
【００４０】
図１及び図２に示すように、空調制御システム５００は、撮像装置２００と、加湿器３００とを備える。以下、各装置について説明する。この例では、空調制御装置１００は、加湿器３００に含まれる。
【００４１】
［１−２．撮像装置］
撮像装置２００は、例えば、イメージセンサを備えるデジタルビデオカメラ又はデジタルスチルカメラである。撮像装置２００は、使用者１の画像を撮像する。使用者１の画像とは、画像中に使用者１が含まれる画像であり、例えば図３に示すように、少なくとも使用者１の顔部分が含まれる画像である。
【００４２】
図３は、使用者１の画像の一例を示す図である。このように、画像中に少なくとも使用者１の顔部分が含まれることにより、空調制御装置１００は、当該画像に基づいて、使用者１の口、鼻、及び目の位置、並びに、マスクなどの使用者１の着用物及び毛布などの使用者１の顔を覆う被覆物を検出することができる。さらに、空調制御装置１００は、当該画像に基づいて、使用者１の口が着用物又は被覆物で覆われているか否か、並びに、使用者１の口及び目の開閉状態などを判定することができる。これにより、空調制御装置１００は、使用者１の口が露出されているか否か、使用者１が睡眠状態であるか否か、及び、使用者１が口呼吸をしているか否かを判定することができる。
【００４３】
なお、使用者１の口が露出されているとは、使用者１の口が何かで覆われていない状態を言う。例えば、使用者１の口が露出されているか否かは、使用者１の画像に使用者１の口が撮像されているか否かを識別することにより判定される。以下、使用者１の口が露出されているか否かの判定について、図３及び図４を参照しながらより具体的に説明する。図４は、使用者１の口が露出されているか否かを説明するための図である。
【００４４】
例えば、使用者１がマスクを着用している場合、使用者１の口がマスクで覆われているか否かを判定することにより、使用者１の口が露出されているか否かを判定する。この場合、使用者１の口が露出されているとは、使用者１の口がマスクで覆われていない状態を言う。例えば、図４の（ｂ）に示すように、使用者１の口の少なくとも一部がマスクから露出している状態である。
【００４５】
また、使用者１の口が露出されていないとは、使用者１の口全体が何かで覆われている状態を言う。例えば、使用者１の画像中に使用者１の口が撮像されていない場合、使用者１の口が露出されていないと判定する。具体的には、図３及び図４の（ａ）に示すように、使用者１の口全体がマスクで覆われている状態である。このとき、使用者１の画像には、使用者１の口は撮像されていない。
【００４６】
また、撮像装置２００は、複数の画像から構成される動画像を撮像してもよい。これにより、空調制御装置１００は、撮像装置２００が撮像した動画像に基づいて、使用者１の瞼の動き、使用者１の体動、又は、呼吸数などの変化を評価することにより、使用者１が睡眠状態であるか否かを判定することができる。
【００４７】
また、撮像装置２００は、上記の例に限られず、例えば、測距カメラ、ステレオカメラ、又は、ＴＯＦ（Ｔｉｍｅ−Ｏｆ−Ｆｌｉｇｈｔ）方式のカメラであってもよい。これにより、空調制御装置１００は、使用者１がマスクを着用している場合、撮像装置２００が撮像した画像に基づいて、撮像装置２００から使用者１の顔表面までの距離と、撮像装置２００からマスクまでの距離との差分を導出することができる。そのため、例えば、当該差分が所定の値以下であるか否かを算出することにより、カメラの設置位置により使用者１の口が画像に撮像されにくい場合でも、使用者１の口が露出されているか否かを判定することができる。
【００４８】
また、撮像装置２００は、熱画像撮像装置であってもよい。図５は、使用者１の熱画像の一例を説明するための図である。なお、本図は、見やすさの観点から、目、眉、鼻、マスクなどの輪郭を描いている。
【００４９】
図５に示すように、使用者１が例えばマスクを着用している場合、熱画像には、使用者１の顔表面の温度よりも低く、かつ、熱画像において使用者１の顔部分の所定の範囲を覆う領域が使用者１の顔部分に撮像される。そのため、空調制御装置１００は、使用者１の熱画像に基づき、使用者１がマスクなどを着用しているか否かを判定することができる。また、空調制御装置１００は、使用者１の熱画像に基づき、使用者１の体表面温度を測定し、使用者１の呼吸数及び脈拍数などを導出することができる。そのため、空調制御装置１００は、熱画像に基づき、使用者１が睡眠状態であるか否かを判定することができる。
【００５０】
図６Ａ及び図６Ｂは、使用者１の熱画像の他の例を説明するための図である。図６Ａは、使用者１が口呼吸をしている様子を撮像した熱画像の一例を説明するための図である。図６Ｂは、使用者１が鼻呼吸をしている様子を撮像した熱画像の一例を説明するための図である。
【００５１】
図６Ａでは、使用者１の口から息が吐き出されている様子が示されている。空調制御装置１００は、熱画像において、例えば、使用者１に身体の軸方向に対して略垂直方向に雰囲気空気よりも高い温度の領域を、使用者１の顔近傍に検出した場合に、使用者１は口呼吸をしていると判定する。なお、使用者１が口呼吸をしている場合、熱画像において、例えば、使用者１が口から空気を吸い込むときに、使用者１の唇の温度が低くなる。このとき、使用者１の顔近傍に検出された雰囲気空気よりも高い温度の領域は消失する。つまり、使用者１が口呼吸をしている場合、使用者１の呼吸に連動して、使用者１の唇の温度及び使用者１の顔近傍の空間の温度が周期的に変化する。この周期的な変化を検出することによっても、空調制御装置１００は、使用者１が口呼吸をしているか否かを判定してもよい。
【００５２】
図６Ｂでは、使用者１の鼻から息が吐き出されている様子が示されている。空調制御装置１００は、熱画像において、例えば、使用者１の身体の軸方向に略平行に雰囲気空気よりも高い温度の領域を、使用者１の顔近傍に検出した場合に、使用者１は鼻呼吸をしていると判定する。なお、使用者１が鼻呼吸をしている場合、熱画像において、例えば、使用者１が鼻から空気を吸い込むときに、使用者１の鼻の温度が低くなる。このとき、使用者１の顔近傍に検出された雰囲気空気よりも高い温度の領域は消失する。つまり、使用者１が鼻呼吸をしている場合、使用者１の呼吸に連動して、使用者１の鼻、特に、鼻の穴周辺の温度及び使用者１の顔近傍の空間の温度が周期的に変化する。この周期的な変化を検出することによっても、空調制御装置１００は、使用者１が口呼吸をしているか否かを判定してもよい。
【００５３】
撮像装置２００は、例えば、使用者１が存在する空間の天井又は壁に設置されてもよく、照明器具、エアコン、又は、加湿器３００などに搭載されてもよい。
【００５４】
なお、図１及び図２では、空調制御システム５００が１つの撮像装置２００を備える例を示しているが、２つ以上の撮像装置２００を備えてもよい。このとき、２つ以上の撮像装置２００のそれぞれは、画像、動画像、距離画像、及び、熱画像のうちの２以上の種類の画像を撮像する撮像装置であってもよく、同一種類の画像を撮像する撮像装置であってもよい。また、２つ以上の撮像装置は、複数の方向から使用者の画像を撮像してもよい。これにより、１つの撮像装置２００で撮影するよりも、得られる情報量が多くなるため、より精度良く使用者１の状態を判定することができる。
【００５５】
［１−３．加湿器の構成］
加湿器３００は、空調制御装置１００から出力される制御コマンドに従い、使用者１が存在する空間を加湿する。本実施の形態では、加湿器３００は、空調制御装置１００を備える例を説明するが、加湿器３００は、空調制御装置１００を備えなくてもよい。この場合、加湿器３００は、空調制御装置１００から出力される制御コマンドを通信により取得する。
【００５６】
図２に示すように、加湿器３００は、空調制御装置１００と、加湿部３１０と、送風部３２０と、を備える。空調制御装置１００は、使用者１の画像を取得し、取得した画像に基づき、使用者１の状態を判定する。空調制御装置１００は、当該判定結果に基づき、使用者１が存在する空間の空調を制御する制御コマンドを、加湿器３００の加湿部３１０及び送風部３２０に送信する。これにより、加湿器３００は、湿潤空気を送風する方向を調整することができる。なお、空調制御装置１００の詳細については後述するため、ここでの記載を省略する。
【００５７】
加湿部３１０は、湿潤空気を生成する。湿潤空気は、例えば、体積当たりの水分量が４０〜６０％の空気である。体積当たりの水分量は、少な過ぎると空気が乾燥してウイルス感染の危険が高まり、多すぎるとカビや結露が発生する恐れがあるため、４０〜６０％であるのがよい。湿潤空気は、例えば、水を加熱することにより生成されてもよく、水を超音波などで微粒子化することにより水粒子を空気中に分散させて生成されてもよい。加湿部３１０は、例えば、水を貯留する貯留部（不図示）と、湿潤空気を生成する生成部（不図示）と、生成した湿潤空気を加湿器３００の外に導くための流路（不図示）と、を備える。生成部は、湿潤空気に含まれる水粒子の粒径（液滴径ともいう）を調整することができる。
【００５８】
送風部３２０は、加湿部３１０で生成された湿潤空気を使用者１に向けて送風する。送風部３２０は、例えば、風を発生させるためのファンと、送風方向を定めるための１以上の方向板と、を備える。
【００５９】
なお、本実施の形態では、加湿器３００は、撮像部を備えていない例を示したが、加湿器３００は、撮像部を備えていてもよい。当該撮像部は、例えば、可視光を受光する受光素子を備えてもよく、赤外光を受光する受光素子を備えてもよく、可視光から近赤外光までの光を受光する受光素子を備えてもよい。
【００６０】
［１−４．空調制御装置の構成］
空調制御装置１００は、使用者１の画像に基づいて、使用者１が睡眠状態であるか否か、及び、使用者１の口が露出されているか否かなどの使用者１の状態を判定し、使用者１の状態に応じて、使用者１が存在する空間の空調を適切に制御する。空調制御装置１００は、例えば、コンピュータであり、プロセッサ（不図示）と、ソフトウェアプログラム又はインストラクションが格納されたメモリ（例えば、図２の記憶部８０）と、を備える。プロセッサがソフトウェアプログラムを実行することによって、空調制御装置１００は、後述する複数の機能を実現する。また、空調制御装置１００は、専用の電子回路（不図示）で構成されてもよい。この場合、後述する複数の機能は、別々の電子回路で実現されてもよいし、集積された１つの電子回路で実現されてもよい。
【００６１】
図２に示すように、空調制御装置１００は、撮像装置２００と、例えば、通信可能に接続される。このとき、空調制御装置１００と撮像装置２００との通信方法は、Ｂｌｕｅｔｏｏｔｈ（登録商標）などの無線通信であってもよく、Ｅｔｈｅｒｎｅｔ（登録商標）などの有線通信であってもよい。
【００６２】
空調制御装置１００は、使用者１の画像を取得する画像取得部１０と、当該画像に基づいて、使用者１が睡眠状態であるか否か、及び、使用者１の口が露出されているか否かを判定する判定部２０と、判定部２０の判定結果に基づいて、使用者１が存在する空間の空調を制御する制御部３０と、を備える。本実施の形態では、空調制御装置１００は、さらに、使用者１の音声を示す音声情報を取得する音声取得部４０と、使用者１が存在する空間における湿度、風速及び風向のうち少なくとも１つの環境情報を取得する環境情報取得部５０と、使用者１の口の位置を検出する検出部６０と、使用者１の操作信号の入力を受け付ける入力部７０と、記憶部８０と、を備える。
【００６３】
画像取得部１０は、例えば、上述のとおり、撮像装置２００と通信可能に接続されており、撮像装置２００が撮像した画像を取得する。なお、当該画像は、上述したとおり、動画像であってもよく、距離画像であってもよく、熱画像であってもよい。画像取得部１０は、取得した当該画像を判定部２０に出力する。
【００６４】
音声取得部４０は、使用者１の音声を示す音声情報を取得する。音声取得部４０は、例えば、マイクロフォンである。使用者１の音声は、例えば、いびき、歯ぎしり、呼吸音、又は、寝言などである。音声取得部４０は、使用者１の音声情報を取得すると、判定部２０に当該音声情報を出力する。
【００６５】
判定部２０は、画像取得部１０から出力された使用者１の画像を取得し、当該画像に基づき、使用者１の状態を判定する。使用者１の画像は、上述のとおり、動画像、距離画像、及び、熱画像であってもよい。これらの画像に基づく使用者１の状態の判定は、既知の方法により実行され得る。また、判定部２０は、音声取得部４０から出力された使用者１の音声情報を取得し、当該音声情報に基づいて、使用者１が口呼吸をしているか否かを判定する。判定部２０は、これらの判定結果を制御部３０に出力する。
【００６６】
なお、使用者１が睡眠状態であるか否かは、撮像装置２００が撮像した使用者１の画像、動画像、距離画像、及び、熱画像のうちのいずれの画像に基づいて、使用者１の体動、体表面温度、呼吸数、及び、瞼の開閉状態により判定されたが、これに限られない。判定部２０は、脈拍、心拍数、呼吸数、又は、脳波などのバイタルサインを測定することにより、使用者１が睡眠状態であるか否かを判定してもよい。例えば、脈拍の測定は、フォトトランジスタ及びフォトダイオードにより血管中の血液量の変化を反射光又は透過光により測定するセンサを用いてもよく、顔又は手などの皮膚の色度の変化から、脈拍情報を測定して脈拍を算出する画像センサを用いてもよい。
【００６７】
環境情報取得部５０は、使用者１が存在する空間における湿度、風速及び風向のうち少なくとも１つの環境情報を取得する。環境情報取得部５０は、取得した環境情報を制御部３０に出力する。なお、環境情報取得部５０は、取得した環境情報を記憶部８０に格納してもよい。
【００６８】
検出部６０は、使用者１の口の位置を検出する。検出部６０は、画像取得部１０が取得した使用者１の画像に基づき、画像解析により使用者１の口の位置を検出してもよい。検出部６０は、検出結果を制御部３０に出力する。なお、検出部６０は、使用者１の口の位置だけでなく、目及び鼻の位置を検出してもよい。また、検出部６０は、これらの位置情報（つまり、画像における座標情報）を検出結果として記憶部８０に格納してもよい。
【００６９】
制御部３０は、プロセッサ（不図示）及びその補助回路を含み、記憶部８０に格納されたプログラム及びデータに従って所定の処理を実行する。制御部３０は、判定部２０の判定結果に基づき、使用者１が存在する空間の空調を制御する。
【００７０】
例えば、制御部３０は、判定部２０により使用者１が睡眠状態であり、かつ、使用者１の口が露出されていると判定された場合、加湿器３００を制御して使用者１が存在する空間を加湿する。また、制御部３０は、判定部２０により使用者１が睡眠状態であり、かつ、使用者１の口が露出されており、かつ、使用者１が口呼吸をしていると判定された場合、加湿器３００を制御して使用者１が存在する空間を加湿する。このとき、制御部３０は、検出部６０から使用者１の口の位置を示す情報を取得すると、使用者１の口の位置に向けて湿潤空気を送風させるコマンドを加湿器３００に送信する。加湿器３００は、当該コマンドを受信すると、使用者１が睡眠状態であり、かつ、使用者１の口が露出されている場合、又は、使用者１が睡眠状態であり、かつ、使用者１の口が露出されており、かつ、使用者１が口呼吸をしている場合、湿潤空気を使用者１の口の位置に向けて送風する。
【００７１】
一方、制御部３０は、判定部２０により使用者１が睡眠状態ではないと判定された場合、又は、使用者１の口が露出されていないと判定された場合、加湿器３００を制御して使用者１が存在する空間の加湿を禁止する。例えば、使用者１が睡眠状態から覚醒した場合、判定部２０は、使用者１が睡眠状態ではないと判定する。このとき、制御部３０は、加湿器３００に加湿を停止させるコマンドを送信する。なお、制御部３０は、加湿器３００に加湿を停止させるコマンドの代わりに、空調制御装置１００の制御による自動運転から使用者１の設定に従って加湿器３００が駆動するマニュアル運転に切り替えるコマンドを送信してもよい。また、例えば、使用者１が活動しており睡眠状態ではない場合、制御部３０は、加湿器３００に加湿を禁止するコマンドを送信する。このとき、加湿器３００は、空調制御装置１００の制御による自動運転は行わず、使用者１の設定に従ってマニュアル運転を実行してもよい。
【００７２】
入力部７０は、使用者１からの操作を受け付けて、使用者１による操作を示す操作信号を制御部３０に出力する。例えば、入力部７０は、タッチパネル、キーボード、マウス又はマイクロフォンなどである。操作信号とは、例えば、空調制御モードの選択、目標湿度の設定、又は、表示部（不図示）における判定結果の表示方法などの設定を行う信号である。入力部７０がタッチパネルである場合、入力部７０は表示部上に配置されてもよい。入力部７０は、タッチパネル上で使用者１の指が触れた位置を検知し、制御部３０に位置情報を出力する。より具体的には、ユーザが表示部に表示されたボタン、バー、及び、キーボードなどの領域を指で触れると、触れた指の位置をタッチパネルが検知することで、入力部７０は、使用者１による操作信号を制御部３０に出力する。
【００７３】
記憶部８０は、制御部３０でプログラムを実行するために必要な作業領域と、制御部３０で実行するために基本的なプログラムを記憶するための領域とを含み、例えば、読み書き可能な不揮発性メモリである。
【００７４】
表示部（不図示）は、制御部３０により制御され、使用者１の状態及び判定結果などを表示する。例えば、表示部は、液晶ディスプレイ又は有機ＥＬ（Ｅｌｅｃｔｒｏ  Ｌｕｍｉｎｅｓｃｅｎｃｅ）ディスプレイなどで構成され、画像及び文字情報を表示する。
【００７５】
なお、入力部７０及び表示部（不図示）は、例えば、空調制御装置１００以外の他の装置が備えてもよい。また、空調制御装置１００は、加湿器３００に備えられる例を説明したが、空調制御装置１００は、コンピュータであってもよく、インターネットなどの通信ネットワークを介して接続されるサーバ上に設けられてもよい。
【００７６】
［１−５．空調制御装置の動作］
続いて、空調制御装置１００の動作の一例について図７を参照しながら説明する。図７は、実施の形態１に係る空調制御装置１００の動作の一例を示すフローチャートである。なお、実施の形態１における空調制御システム５００の動作としては、図７に示す取得ステップＳ１１０の前に、撮像装置２００が使用者１の画像を撮像する撮像ステップが含まれる。
【００７７】
図７に示すように、画像取得部１０は、使用者１の画像を取得する（ステップＳ１１０）。このとき、当該画像は、複数の画像から構成される動画像であってもよく、所定の時間間隔で撮像された複数の画像であってもよい。また、画像取得部１０は、使用者１の熱画像を取得してもよい。
【００７８】
次いで、判定部２０は、ステップＳ１１０で画像取得部１０が取得した使用者１の画像に基づいて、使用者１が睡眠状態であるか否かを判定する（ステップＳ１１１）。判定部２０により使用者１が睡眠状態でないと判定された場合（ステップＳ１１１でＮｏ）、制御部３０は、加湿器３００に使用者１が存在する空間の加湿を禁止する（ステップＳ１１８）。例えば、使用者１が睡眠状態から覚醒した場合、制御部３０は、加湿器３００に加湿を停止させるコマンドを送信する。これにより、加湿器３００は、加湿を停止する。また、例えば、使用者１が活動しており睡眠状態ではない場合、制御部３０は、加湿器３００に加湿を禁止するコマンドを送信する。これにより、加湿器３００は、加湿を実行しない。
【００７９】
一方、使用者１が睡眠状態であると判定された場合（ステップＳ１１１でＹｅｓ）、判定部２０は、使用者１の口が露出されているか否かを判定する（ステップＳ１１２）。判定部２０により使用者１の口が露出されていないと判定された場合（ステップＳ１１２でＮｏ）、制御部３０は、加湿器３００に使用者１が存在する空間の加湿を禁止する（ステップＳ１１８）。一方、判定部２０により使用者１の口が露出されていると判定された場合（ステップＳ１１２でＹｅｓ）、制御部３０は、加湿器３００に使用者１が存在する空間を加湿させる（ステップＳ１１６）。
【００８０】
続いて、空調制御装置１００の動作の他の例について図８を参照しながら説明する。図８は、実施の形態１に係る空調制御装置１００の動作の他の例を示すフローチャートである。
【００８１】
図８に示すように、画像取得部１０は、使用者１の画像を取得する（ステップＳ１１０）。次いで、判定部２０は、ステップＳ１１０で画像取得部１０が取得した使用者１の画像に基づいて、使用者１が睡眠状態であるか否かを判定する（ステップＳ１１１）。このとき、判定部２０により使用者１が睡眠状態でないと判定された場合（ステップＳ１１１でＮｏ）、制御部３０は、加湿器３００に使用者１が存在する空間の加湿を禁止する（ステップＳ１１８）。
【００８２】
一方、使用者１が睡眠状態であると判定された場合（ステップＳ１１１でＹｅｓ）、判定部２０は、使用者１の口が露出されているか否かを判定する（ステップＳ１１２）。判定部２０により使用者１の口が露出されていないと判定された場合（ステップＳ１１２でＮｏ）、制御部３０は、加湿器３００に使用者１が存在する空間の加湿を禁止する（ステップＳ１１８）。
【００８３】
一方、判定部２０により使用者１の口が露出されていると判定された場合（ステップＳ１１２でＹｅｓ）、検出部６０は、使用者１の口の位置を検出する（ステップＳ１１３）。検出部６０により使用者１の口の位置が検出されない場合（ステップＳ１１３でＮｏ）、制御部３０は、加湿器３００に使用者１が存在する空間を加湿させる（ステップＳ１１６）。
【００８４】
一方、検出部６０により使用者１の口の位置が検出された場合（ステップＳ１１３でＹｅｓ）、制御部３０は、加湿器３００に使用者１の口の位置に向けて湿潤空気１３０（図１参照）を送風させる（ステップＳ１１７）。
【００８５】
続いて、空調制御装置１００の動作の他の例について図９を参照しながら説明する。図９は、実施の形態１に係る空調制御装置１００の動作の他の例を示すフローチャートである。
【００８６】
図９に示すように、画像取得部１０は、使用者１の画像を取得する（ステップＳ１１０）。次いで、判定部２０は、ステップＳ１１０で画像取得部１０が取得した使用者１の画像に基づいて、使用者１が睡眠状態であるか否かを判定する（ステップＳ１１１）。このとき、判定部２０により使用者１が睡眠状態でないと判定された場合（ステップＳ１１１でＮｏ）、制御部３０は、加湿器３００に使用者１が存在する空間の加湿を禁止する（ステップＳ１１８）。
【００８７】
一方、使用者１が睡眠状態であると判定された場合（ステップＳ１１１でＹｅｓ）、判定部２０は、使用者１の口が露出されているか否かを判定する（ステップＳ１１２）。判定部２０により使用者１の口が露出されていないと判定された場合（ステップＳ１１２でＮｏ）、制御部３０は、加湿器３００に使用者１が存在する空間の加湿を禁止する（ステップＳ１１８）。
【００８８】
一方、判定部２０により使用者１の口が露出されていると判定された場合（ステップＳ１１２でＹｅｓ）、判定部２０は、使用者１が口呼吸をしているか否かを判定する（ステップＳ１１４）。判定部２０により使用者１が口呼吸をしていないと判定された場合（ステップＳ１４４でＮｏ）、制御部３０は、加湿器３００に使用者１が存在する空間の加湿を禁止する（ステップＳ１１８）。
【００８９】
一方、判定部２０により使用者１が口呼吸をしていると判定された場合（ステップＳ１１４でＹｅｓ）、制御部３０は、加湿器３００に使用者１が存在する空間を加湿させる（ステップＳ１１６）。
【００９０】
なお、図示しないが、図９において、ステップＳ１１４で判定部２０により使用者１が口呼吸をしていると判定された場合、検出部６０は、使用者１の口の位置を検出してもよい（図８のステップＳ１１３）。このとき、検出部６０により使用者１の口の位置が検出されない場合（ステップＳ１１３でＮｏ）、制御部３０は、加湿器３００に使用者１が存在する空間を加湿させる（ステップＳ１１６）。一方、検出部６０により使用者１の口の位置が検出された場合（ステップＳ１１３でＹｅｓ）、制御部３０は、加湿器３００に使用者１の口の位置に向けて湿潤空気１３０を送風させる（ステップＳ１１７）。
【００９１】
なお、図８において、ステップＳ１１３で検出部６０により使用者１の口の位置が検出された場合、判定部２０は、使用者１が口呼吸をしているか否かを判定してもよい（ステップＳ１１４）。このとき、判定部２０により使用者１が口呼吸をしていないと判定された場合（ステップＳ１１４でＮｏ）、制御部３０は、加湿器３００に使用者１が存在する空間を加湿させてもよい（ステップＳ１１６）。一方、判定部２０により使用者１が口呼吸をしていると判定された場合（ステップＳ１１４でＹｅｓ）、制御部３０は、使用者１の口の位置に向けて湿潤空気１３０を送風させてもよい（ステップＳ１１７）。
【００９２】
なお、図７〜図９に示したステップＳ１１１〜ステップＳ１１４は必ずしも図示した順番で実行されなくてもよく、適宜順番を入れ替えて実行されてもよい。また、加湿の制御に関しても、環境情報取得部５０により取得された環境情報に応じて、適切な制御が実行され得る。図９では、使用者１が睡眠状態であり、かつ、使用者１の口が露出しており、かつ、使用者１が口呼吸をしていると判定された場合（ステップＳ１１４でＹｅｓ）、制御部３０は、加湿器３００に使用者１が存在する空間を加湿させる（ステップＳ１１６）例を説明した。例えば、環境情報取得部５０により得られた環境情報のうち、湿度、つまり、使用者１が存在する空間の湿度が目標湿度（例えば、６５％）よりも大幅に低い場合（例えば、４０％）、制御部３０は、検出部６０に使用者１の口の位置を検出させて、加湿器３００に使用者１の口の位置に向けて湿潤空気１３０を送風させてもよい（図８のステップＳ１１７）。このように、制御部３０は、判定部２０での判定結果及び少なくとも１つの環境情報に基づいて、湿度、湿潤空気の送風方向、湿潤空気の送風量及び湿潤空気中の液滴径の少なくとも１つを制御し得る。これにより、空調制御装置１００によれば、使用者１の状態及び使用者１が存在する空間の少なくとも１つの環境情報に基づいて、加湿器３００の動作を制御することができるため、使用者１の喉を乾燥空気から適切に保護することができる。
【００９３】
（実施の形態２）
続いて、実施の形態２における空調制御システム５００ａについて図１０及び図１１を参照しながら説明する。図１０は、実施の形態２における空調制御システム５００ａの一例を示す概略図である。図１１は、実施の形態２における空調制御システム５００ａの機能構成の一例を示すブロック図である。なお、実施の形態２では、実施の形態１と異なる点を中心に説明する。
【００９４】
図１０及び図１１に示すように、実施の形態２では、空調制御装置１００ａは、インターネットなどの通信ネットワーク１１０を介してサーバ１２０上に配置される。さらに、空調制御装置１００ａは、加湿器３００ａと、空気調和装置４００とを制御する点で、実施の形態１と異なる。
【００９５】
加湿器３００ａは、例えば、第１通信部（不図示）と、第１制御部（不図示）と、加湿部（不図示）と第１送風部（不図示）とを備える。加湿部及び第１送風部は、実施の形態１で説明した加湿器３００の加湿部３１０及び送風部３２０と同じであってもよい。加湿器３００ａは、第１通信部を介して、空調制御装置１００ａから制御コマンドを受信すると、第１制御部は、加湿部に湿潤空気３３０を生成させ、第１送風部に湿潤空気３３０を所望の方向に送風させる。このように、加湿器３００ａは、空調制御装置１００ａの制御コマンドに従い、使用者１が存在する空間を加湿する。
【００９６】
なお、加湿器３００ａは、撮像部（不図示）を備えてもよい。この場合、第１通信部（不図示）は、撮像部（不図示）が撮像した使用者１の画像を空調制御装置１００ａに送信する。
【００９７】
空気調和装置４００は、使用者１が存在する空間の温度を調整する。空気調和装置４００は、例えば、第２通信部（不図示）と、第２制御部（不図示）と、温度調整部（不図示）と、第２送風部（不図示）と、を備える。
【００９８】
空調制御装置１００ａは、判定部２０の判定結果と、環境情報取得部５０（図２参照）が取得した、使用者１が存在する空間における湿度、風速及び風向のうち少なくとも１つの環境情報とに基づき、加湿器３００ａの制御内容を決定する。このとき、空調制御装置１００ａは、加湿器３００ａが送風する湿潤空気３３０の流れを妨げないように、又は、湿潤空気３３０が効率よく所定の方向に送風されるように、空気調和装置４００の制御内容を決定する。そして、空調制御装置１００ａは、温度調整された空気４１０の送風方向及び送風量を制御する制御コマンドを空気調和装置４００に送信する。空気調和装置４００は、第２通信部を介して、空調制御装置１００ａから制御コマンドを受信すると、第２制御部は、温度調整部に温度調整された空気４１０を生成させ、第２送風部に温度調整された空気４１０を所望の方向に送風させる。
【００９９】
なお、空気調和装置４００は、撮像部（不図示）を備えてもよい。この場合、第２通信部は、撮像部が撮像した使用者１の画像を空調制御装置１００ａに送信する。
【０１００】
（他の実施の形態）
図１２は、他の実施の形態に係る空調制御装置１００ｂの機能構成の一例を示すブロック図である。図１２に示すように、他の実施の形態に係る空調制御装置１００ｂは、使用者１の画像を取得する画像取得部１０と、当該画像に基づいて、使用者１が睡眠状態であるか否か、及び、使用者１の口が露出されているか否かを判定する判定部２０と、判定部２０の判定結果に基づいて、使用者１が存在する空間の空調を制御する制御部３０と、を備える。
【０１０１】
図１３は、他の実施の形態に係る空調制御装置１００ｂの動作の一例を示すフローチャートである。図１３に示すように、他の実施の形態に係る空調制御装置１００ｂは、使用者１の画像を取得する画像取得ステップＳ１０と、当該画像に基づいて、使用者１が睡眠状態であるか否か、及び、使用者１の口が露出されているか否かを判定する判定ステップＳ２０と、判定部２０の判定結果に基づいて、使用者１が存在する空間の空調を制御する制御ステップＳ３０と、を含む。
【０１０２】
これにより、使用者１が睡眠状態であるか否か、及び、使用者１の口が露出されているか否かなどの使用者１の状態に応じて、使用者１が存在する空間の空調を適切に制御することができる。
【０１０３】
以上、本開示の１つ又は複数の態様に係る動画像処理方法及び動画像処理装置について、実施の形態に基づいて説明したが、本開示は、この実施の形態に限定されるものではない。本開示の主旨を逸脱しない限り、当業者が思いつく各種変形を実施の形態に施したものや、異なる実施の形態における構成要素を組み合わせて構成される形態も、本開示の１つ又は複数の態様の範囲内に含まれてもよい。
【０１０４】
例えば、上記実施の形態における空調制御システムでは１台のカメラを備える場合を説明したが、２台以上の複数のカメラを備えてもよい。これにより、複数のカメラで撮像された画像を取得できるため、得られる複数の画像から使用者１の状態をより精度良く判定することができる。
【０１０５】
また、例えば、上記実施の形態における空調制御装置が備える構成要素の一部又は全部は、１個のシステムＬＳＩ（Ｌａｒｇｅ  Ｓｃａｌｅ  Ｉｎｔｅｇｒａｔｉｏｎ：大規模集積回路）から構成されているとしてもよい。例えば、空調制御装置は、画像取得部と、判定部と、制御部と、を有するシステムＬＳＩから構成されてもよい。
【０１０６】
システムＬＳＩは、複数の構成部を１個のチップ上に集積して製造された超多機能ＬＳＩであり、具体的には、マイクロプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などを含んで構成されるコンピュータシステムである。ＲＯＭには、コンピュータプログラムが記憶されている。マイクロプロセッサが、コンピュータプログラムに従って動作することにより、システムＬＳＩは、その機能を達成する。
【０１０７】
なお、ここでは、システムＬＳＩとしたが、集積度の違いにより、ＩＣ、ＬＳＩ、スーパーＬＳＩ、ウルトラＬＳＩと呼称されることもある。また、集積回路化の手法は、ＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）、あるいは、ＬＳＩ内部の回路セルの接続や設定を再構成可能なリコンフィギュラブル・プロセッサを利用してもよい。
【０１０８】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてあり得る。
【０１０９】
また、本開示の一態様は、このような空調制御装置だけではなく、空調制御装置に含まれる特徴的な構成部をステップとする空調制御方法であってもよい。また、本開示の一態様は、空調制御方法に含まれる特徴的な各ステップをコンピュータに実行させるコンピュータプログラムであってもよい。また、本開示の一態様は、そのようなコンピュータプログラムが記録された、コンピュータ読み取り可能な非一時的な記録媒体であってもよい。
【０１１０】
なお、上記各実施の形態において、各構成要素は、専用のハードウェアで構成されるか、各構成要素に適したソフトウェアプログラムを実行することによって実現されてもよい。各構成要素は、ＣＰＵ又はプロセッサなどのプログラム実行部が、ハードディスク又は半導体メモリなどの記録媒体に記録されたソフトウェアプログラムを読み出して実行することによって実現されてもよい。ここで、上記実施の形態の空調制御装置などを実現するソフトウェアは、次のようなプログラムである。
【０１１１】
すなわち、このプログラムは、コンピュータに、使用者の画像を取得する取得ステップと、画像に基づいて、使用者が睡眠状態であるか否か、及び、使用者の口が外気に露出されているか否かを判定する判定ステップと、判定部の判定結果に基づいて、使用者が存在する空間の空調を制御する制御ステップと、を含む空調制御方法を実行させる。
【産業上の利用可能性】
【０１１２】
本開示は、使用者が睡眠状態であり、かつ、使用者の口が外気に露出されていることを検出して、使用者が存在する空間の空調を制御することができるため、使用者に対して効率的に加湿することができる。そのため、本開示の空調制御装置などは、例えば、加湿器、エアコンなどに広く利用可能である。
【符号の説明】
【０１１３】
１  使用者
１０  画像取得部
２０  判定部
３０  制御部
４０  音声取得部
５０  環境情報取得部
６０  検出部
７０  入力部
８０  記憶部
１００、１００ａ、１００ｂ  空調制御装置
１１０  通信ネットワーク
１２０  サーバ
１３０、３３０  湿潤空気
２００  撮像装置
３００、３００ａ  加湿器
３１０  加湿部
３２０  送風部
４００  空気調和装置
４１０  温度調整された空気
５００、５００ａ  空調制御システム
【図１】
2020118361.tif 000003
【図２】
2020118361.tif 000004
【図３】
2020118361.tif 000005
【図４】
2020118361.tif 000006
【図５】
2020118361.tif 000007
【図６Ａ】
2020118361.tif 000008
【図６Ｂ】
2020118361.tif 000009
【図７】
2020118361.tif 000010
【図８】
2020118361.tif 000011
【図９】
2020118361.tif 000012
【図１０】
2020118361.tif 000013
【図１１】
2020118361.tif 000014
【図１２】
2020118361.tif 000015
【図１３】
2020118361.tif 000016